(57)【要約】【課題】  カートリッジの着脱及び交換の際のユーザビリティを向上させる。【解決手段】  装置本体に着脱可能なカートリッジを有する画像形成装置であって、装置本体に設けられ、カートリッジが装置本体に完全に装着した状態である完全装着状態に導くための案内路と、カートリッジが案内路において装置本体に不完全な状態で装着される不完全装着状態であることを検知する装着状態検知手段と、装着状態検知手段によってカートリッジが装置本体に不完全装着状態で装着されていることが検知された場合には、不完全装着状態に対応する処理を実行する処理実行手段とを具備する画像形成装置。【選択図】  図３
2014106514.tif 000002
【特許請求の範囲】
【請求項１】
装置本体に着脱可能なカートリッジを有する画像形成装置であって、
前記装置本体に設けられ、前記カートリッジが前記装置本体に完全に装着した状態である完全装着状態に導くための案内路と、
前記カートリッジが前記案内路において前記装置本体に不完全な状態で装着される不完全装着状態であることを検知する装着状態検知手段と、
前記装着状態検知手段によって前記カートリッジが前記装置本体に不完全装着状態で装着されていることが検知された場合には、前記不完全装着状態に対応する処理を実行する処理実行手段と
を具備することを特徴とする画像形成装置。
【請求項２】
前記処理実行手段は、前記カートリッジが前記装置本体に不完全装着状態で装着されていることを検知した場合には、前記カートリッジが前記不完全装着状態であることを報知する報知手段を具備することを特徴とする請求項１に記載の画像形成装置。
【請求項３】
前記装着状態検知手段は、前記カートリッジの前記案内路における位置に応じた複数の不完全装着状態を検知することが可能であり、
前記報知手段は、前記装着状態検知手段が検知した不完全装着状態に応じて報知することを特徴とする請求項２に記載の画像形成装置。
【請求項４】
前記装着状態検知手段は、さらに、前記カートリッジが前記装置本体に装着されていない未装着状態、及び前記カートリッジが前記装置本体に完全に装着されている完全装着状態であることを検出することが可能であり、
前記報知手段は、前記装着状態検知手段が検出した装着状態に応じて報知することを特徴とする請求項２又は請求項３に記載の画像形成装置。
【請求項５】
前記装着状態検知手段は、前記カートリッジの表面に設けられてたカートリッジ側電気接点と前記案内路における前記不完全装着状態に対応する位置に設けられた装置本体側電気接点とを有し、前記カートリッジが前記装置本体に挿入された際に、前記カートリッジ側電気接点と前記装置本体側電気接点とが接触した場合に前記カートリッジが前記装置本体に前記不完全装着状態であると検知することを特徴とする請求項３又は請求項４に記載の画像形成装置。
【請求項６】
前記装着状態検知手段は、前記案内路における前記複数の不完全装着状態に対応する位置に設けられた複数の装置本体側電気接点とを有し、
前記カートリッジが前記装置本体に挿入された際に、前記複数の本体側電気接点のいずれか１つと前記カートリッジ側電気接点とが接触することで前記カートリッジの装着状態を検知することを特徴とする請求項５に記載の画像形成装置。
【請求項７】
前記装着状態検知手段は、前記カートリッジ側電気接点と前記装置本体側電気接点とが接触した場合の電流値を検知することで前記カートリッジの装着状態を検出することを特徴とする請求項５又は請求項６に記載の画像形成装置。
【請求項８】
前記処理実行手段は、前記カートリッジが前記装置本体に不完全装着状態で装着されていることを検知した場合には、前記カートリッジを移動させて前記完全装着状態に移動させる移動手段を具備することを特徴とする請求項１乃至請求項７のうちのいずれか一項に記載の画像形成装置。
【請求項９】
前記案内路は途中で方向が変わる屈曲部を有し、
前記複数の不完全装着状態のうちの１つは、前記カートリッジが前記屈曲部に位置する状態であることを特徴とする請求項３乃至請求項８のうちのいずれか一項に記載の画像形成装置。
【請求項１０】
前記カートリッジは、
トナー画像を担持する感光体ドラムと、
前記感光体ドラムを帯電させる帯電手段と、
前記感光体ドラムを現像する現像手段とを有し、
前記カートリッジ側電気接点として、前記感光体ドラムを接地するための接地接点、前記帯電手段に接続される帯電接点、及び現像手段に接続される現像接点のうちの少なくとも１つを用いることを特徴とする請求項６乃至請求項９のうちのいずれか一項に記載の画像形成装置。
【発明の詳細な説明】
【技術分野】
【０００１】
本発明は、シート等の記録媒体上に画像を形成する機能を備えた、例えば、複写機、プリンタ、ファクシミリ装置などの画像形成装置に関し、特に、着脱可能なカートリッジを有する画像形成装置に関する。
【背景技術】
【０００２】
電子写真画像形成装置は、感光体ドラムと転写ローラを用いた電子写真画像形成プロセスにより記録材に画像を形成する。記録材に画像を形成する画像形成部の構成においては、感光体及び感光体に作用するプロセス手段を一体的にカートリッジ化して、このカートリッジを画像形成装置本体に着脱可能とするプロセスカートリッジ方式が採用されている。プロセスカートリッジ方式によれば、画像形成装置のメンテナンスをサービスマンによらずユーザ自身で行うことができるので、格段に操作性を向上させることが出来る。このため、プロセスカートリッジ方式は画像形成装置において広く用いられている。
【０００３】
プロセスカートリッジ方式においては、プロセスカートリッジを画像形成装置本体に着脱するにあたって、その操作性を容易にすることが望まれている。従来は、操作性を容易にする１つの手段として、画像形成装置本体へプロセスカートリッジを装着する時に、プロセスカートリッジが装置本体へ完全に装着されたことを検出している。すなわち、プロセスカートリッジの装着位置に到達すると電気接点に接続される構成になっており、電気接点が画像形成装置本体に備えるプロセスカートリッジの有無を検出する装着検出手段と接続されるようにしたものがある（特許文献１）。
【先行技術文献】
【特許文献】
【０００４】
【特許文献１】特開２０００−１９４２４６号公報
【発明の概要】
【発明が解決しようとする課題】
【０００５】
しかしながら、上述の従来例では、以下のような課題があった。
【０００６】
カートリッジを挿入する際に装置本体とカートリッジに生じる摩擦や、カートリッジの位置を決めるために装置本体側に設けられたバネが、カートリッジ挿入時の抵抗になっていた。これらの抵抗によりユーザは最後までカートリッジを押し込めていないことに気付かず、カートリッジを中途半端な位置で止めてしまうことがあった。
【０００７】
また、装置本体内のスペースやカートリッジの位置決め等の制約により、カートリッジの装着軌跡が直線でない場合があるが、このような場合、カートリッジの挿入方向が途中で変化することになる。そして、ユーザは装着軌跡が変化する位置でカートリッジが突き当たったと思い、装着軌跡の途中の位置でカートリッジを止めてしまい、カートリッジが不完全な装着状態になる場合があった。
【０００８】
さらに、ユーザはカートリッジが装置本体内へ入っているにも関わらず、カートリッジが検知されてないため、ユーザは、カートリッジが不完全装着状態だと気付かず、装置の故障だと判断する場合もあった。
【０００９】
本発明はこのような課題を解決するためになされたもので、カートリッジの不完全装着状態を検知することにより、カートリッジの着脱及び交換の際のユーザビリティを向上させた画像形成装置を提供することを目的とする。
【課題を解決するための手段】
【００１０】
この目的を達成するために、本発明の画像形成装置は、装置本体に着脱可能なカートリッジを有する画像形成装置であって、前記装置本体に設けられ、前記カートリッジが前記装置本体に完全に装着した状態である完全装着状態に導くための案内路と、前記カートリッジが前記案内路において前記装置本体に不完全な状態で装着される不完全装着状態であることを検知する装着状態検知手段と、前記装着状態検知手段によって前記カートリッジが前記装置本体に不完全装着状態で装着されていることが検知された場合には、前記不完全装着状態に対応する処理を実行する処理実行手段とを具備することを特徴とする。
【発明の効果】
【００１１】
本発明によれば、カートリッジの不完全装着状態を検出することが可能になる。このため、カートリッジが不完全装着状態だと検出した際に、ユーザへ操作方法を明確に指示することやユーザを煩わせることなくカートリッジを完全装着状態へ移動させることができるようになり、ユーザビリティの向上が可能となる。
【図面の簡単な説明】
【００１２】
【図１】本発明の第１実施形態の画像形成装置の概略構成を示す断面図である。
【図２】本発明の第１実施形態のカートリッジの外観を示す図である。
【図３】本発明の第１実施形態に係るカートリッジの装着状態を示す断面図である。図３（ａ）はカートリッジが装置本体に挿入する直前でカートリッジ未装着となっている状態、図３（ｂ）はカートリッジが装置本体に不完全な装着となっている状態、図３（ｃ）はカートリッジが装置本体に完全に装着された状態を示している。
【図４】本発明の第１実施形態に係る検知システムの回路構成を示す図である。図４（ａ）はカートリッジが未装着となっている状態、図４（ｂ）はカートリッジが装置本体に不完全な装着となっている状態、図４（ｃ）はカートリッジが装置本体に完全に装着された状態の検知システムの回路構成を示している。
【図５】本発明の第２実施形態に係るカートリッジの不完全装着状態を検出した際の装置本体の動作を示す図である。図６（ａ）はカートリッジが装置本体に不完全な装着となっている状態、図６（ｂ）はカートリッジが装置本体に完全に装着された状態を示している。
【図６】本発明の第３実施形態に係るカートリッジの装着状態を示す断面図である。図６（ａ）はカートリッジが装置本体に挿入する直前でカートリッジ未装着となっている状態、図６（ｂ）はカートリッジがカートリッジガイドの屈曲部付近で装置本体に不完全装着となっている状態、図６（ｃ）は、カートリッジが完全装着位置の手前で装置本体に不完全装着となっている状態、図６（ｄ）はカートリッジが装置本体に完全に装着された状態をそれぞれ示している。
【図７】本発明の第３実施形態に係る検知システムの構成を示す回路図である。図７（ａ）はカートリッジ未装着状態、図７（ｂ）はカートリッジの第２の不完全装着状態、図７（ｃ）はカートリッジの第１の不完全装着状態、図７（ｄ）はカートリッジの完全装着状態の場合の回路図を示している。
【発明を実施するための形態】
【００１３】
以下に図面を参照して、この発明の好適な実施形態を例示的に詳しく説明する。ただし、この実施形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００１４】
＜第１実施形態＞
本発明の実施形態による画像形成装置について説明する。なお、本実施形態では画像形成装置として、プロセスカートリッジが着脱可能なレーザビームプリンタを例示している。
【００１５】
（画像形成装置の全体構成）
図１は、画像形成装置の概略構成の断面を示す模式図である。図１に示すように、画像形成装置１００は、給送部１０、画像形成部２０、及び排出部３０を有している。
【００１６】
画像形成部２０は、画像形成装置１００の装置本体１００Ａに着脱可能で画像形成処理の一部を行うカートリッジ１、記録材Ｐに画像を転写する転写ローラ２１、レーザ光を照射するレーザ露光装置２２及び記録材Ｐを加熱定着する定着装置２３等を有している。
【００１７】
カートリッジ１は、レーザ露光装置２２からのレーザ光Ｌが照射されることによって静電潜像が形成される感光体ドラム２を有する。さらに、カートリッジ１は、感光体ドラム２の静電潜像を現像する現像手段３、感光体ドラム２から現像剤を除去するクリーニング部材４、感光体ドラム２を帯電させる帯電手段５を有する。そして、感光体ドラム２は、現像手段３によって現像されたトナー像を担持する。
【００１８】
給送部１０は、給送トレイ１３に収納された記録材Ｐを分離して１枚ずつ給送する給送ローラ１２と分離パッド１１を有する。給送部１０によって給送された記録材Ｐは、搬送フレーム２４に保持された搬送ローラ２５と搬送コロ２６によって画像形成部２０に送られ、画像形成部２０において感光体ドラム２に形成されたトナー画像は転写ローラ２１によって転写される。
【００１９】
トナー画像の転写を終えた記録材Ｐは、加熱ユニット２７と加圧ローラ２８から構成される定着装置２３に搬送され、ここで転写されたトナー像が加熱定着される。その後、記録材Ｐは排出ローラ３１と排出コロ３２によって排出トレイ３３と排出延長トレイ３４から構成される排出部３０へ排出される。
【００２０】
（カートリッジの構成）
図２は、図１に示す画像形成装置１００のカートリッジ１の外観図である。図２に示すように、カートリッジ１の長手方向の一端側と他端側には、装置本体１００Ａにおけるカートリッジ１の姿勢を決めるための位置決め部であるボス１ａと、回転規制部であるボス１ｂがそれぞれ設けられている。
【００２１】
また、カートリッジ１の長手方向の一端側の表面には、ボス１ａ側の近くにある電気接点６ａとボス１ｂ側の近くにある電気接点６ｂ（カートリッジ側電気接点）とが設けられており、電気接点６ａ、６ｂはカートリッジ１の装着状態によって装置本体１００Ａ側の各々の電気接点（後述する）と電気的に接触して導通する。
【００２２】
そして、カートリッジ１に備えられる感光体ドラム２の端部には、感光体ドラム２を回転駆動するためのドラムギア７が固定されている。また、カートリッジ１には、カートリッジ１の着脱を容易にするための把手部８が設けられており、この把手部８を握ってカートリッジ１の着脱を行う。
【００２３】
（カートリッジの装着）
図３は、画像形成装置１００をカートリッジ１の長手方向からみたカートリッジ１の装着部付近を示す断面図である。同図における断面はカートリッジ１の長手方向に対して垂直で本体中央を通る面である。
【００２４】
図３（ａ）はカートリッジ１が装置本体１００Ａに挿入する直前でカートリッジ未装着となっている状態、図３（ｂ）はカートリッジ１が装置本体１００Ａに不完全な装着となっている状態、図３（ｃ）はカートリッジ１が装置本体１００Ａに完全に装着された状態を示している。
【００２５】
装置本体１００Ａの左右の側板には、カートリッジ１のボス１ａを完全装着状態へ案内するカートリッジガイド１０３ａ（案内路）と、カートリッジ１のボス１ｂを完全装着状態へ案内するカートリッジガイド１０３ｂ（案内路）がそれぞれ設けられている。さらに、カートリッジガイド１０３ａの最深部には、図３（ｃ）に示す完全装着された際にボス１ａと嵌合する装着部１０３ａ１が設けられている。また、カートリッジガイド１０３ｂの最深部にはボス１ｂと当接する本体回転規制部１０３ｂ１が設けられている。
【００２６】
カートリッジ１が開口部１１０から装置本体１００Ａの内部に向かって挿入する際は、ボス１ａ、１ｂがカートリッジガイド１０３ａ、１０３ｂに沿って移動して行き、装着部１０３ａ１、本体回転規制部１０３ｂ１と当接する。したがって、カートリッジ１の装置本体１００Ａ内での移動する軌跡及び姿勢は、カートリッジガイド１０３ａ、１０３ｂの形状によって決定する。
【００２７】
そして、図３（ｃ）に示すようにカートリッジ１が装置本体１００Ａに完全装着された際に、装置本体１００Ａに設けられた駆動源からの駆動を伝達する駆動ギア１０１がドラムギア７と連結して、カートリッジ１へ駆動力が伝達される。
【００２８】
カートリッジ１を装置本体１００Ａに装着する際のカートリッジガイド１０３ｂの途中には、ボス１ｂを本体回転規制部１０３ｂ１へと当接させるための付勢手段として線バネ１０４が設けられている。線バネ１０４はカートリッジ１を完全装着した状態においてはカートリッジ１のボス１ｂが装着位置から外れないように付勢しているが、カートリッジ１を挿入する際には線バネ１０４がボス１ｂを挿入する妨げとなってしまうため、ボス１ｂが開口部１１０側の線バネ１０４と当接する不完全装着位置１０３ｂ２で止まりやすい。
【００２９】
さらに、カートリッジガイド１０３ａの形状は直線状でなく、カートリッジ１の装着途中で屈曲している。そのため、カートリッジ１の挿入方向も途中で変化し、ボス１ａが不完全装着位置１０３ａ２で止まりやすくなっている。したがって、カートリッジ１は、ボス１ａが不完全装着位置１０３ａ２で、ボス１ｂが不完全装着位置１０３ｂ２で止まってしまい、図３（ｂ）に示すようにカートリッジ１が不完全な装着状態となることもある。
【００３０】
装置本体１００Ａの側板の一端側には、カートリッジ１の装着状態によってカートリッジ１側の電気接点６ａ、６ｂに電気的に接触するように配置されている電気接点１０２ａ、１０２ｂ（装置本体側電気接点）、１０２ｃ（装置本体側電気接点）が設けられている。
【００３１】
次に、カートリッジ１の装着状態におけるカートリッジ１側の電気接点と装置本体１００Ａ側の電気接点の接続について説明する。
【００３２】
図３（ｃ）に示す完全装着状態においては、カートリッジ１側の電気接点６ａと装置本体１００Ａ側の電気接点１０２ａとが電気的に接触し、カートリッジ１側の電気接点６ｂと装置本体１００Ａ側の電気接点１０２ｂとが電気的に接触するように配置されている。
【００３３】
図３（ｂ）に示す不完全装着状態においては、カートリッジ１側の電気接点６ａと装置本体１００Ａ側の電気接点１０２ａとが電気的に接触し、カートリッジ１側の電気接点６ｂと装置本体１００Ａ側の電気接点１０２ｃとが電気的に接触するように配置されている。
【００３４】
また、カートリッジ１側の電気接点６ｂが装置本体１００Ａ側の電気接点１０２ｂと電気接点１０２ｃの間の位置においては、線バネ１０４を用いてボス１ｂを本体回転規制部１０３ｂ１へ付勢するように設けているため、カートリッジ１が不完全装着状態と完全装着状態の間の位置で止まらないようになっている。
【００３５】
（カートリッジ装着状態検知の回路構成）
図４は本実施形態におけるカートリッジ装着状態を検知するための回路図である。
【００３６】
図４（ａ）はカートリッジ１が未装着となっている状態、図４（ｂ）はカートリッジ１が装置本体１００Ａに不完全な装着となっている状態、図４（ｃ）はカートリッジ１が装置本体１００Ａに完全に装着された状態の検知システムの回路構成を示している。
【００３７】
本実施形態においてカートリッジ１の装着状態を検知するカートリッジ装着検知システム（装着状態検知手段）は、装置本体１００Ａにカートリッジ１の装着状態の検知回路を設けている。
【００３８】
検知回路は図４に示すように、装置本体１００Ａ側に電気接点１０２ａ、１０２ｂ、１０２ｃが設けられている。電気接点１０２ｂ、１０２ｃには、抵抗Ｒ１、Ｒ２の一端がそれぞれ接続されている。抵抗Ｒ１、Ｒ２の他端は直流電源１０５ａの負極に接続されている。直流電源１０５ａの正極は、電流検出部１０５の一端に入力され、電流検出部１０５の他端は、電気接点１０２ａに接続されている。また、抵抗Ｒ１、Ｒ２の抵抗値は互いに異なるように設定されている。
【００３９】
電流検出部１０５は、回路に流れる電流を検出して検出結果は装置本体１００Ａの制御部（不図示）に送出する。具体的には、例えば、回路に直列に抵抗を設け、この抵抗の電圧降下をＡＤコンバータ又はコンパレータなどで読み取ることによって電流を測定して制御部に送出する。
【００４０】
カートリッジ１側には電気接点６ａと電気接点６ｂとが設けられ、これらは、カートリッジ１の内部で互いに電気的に接続されている。
【００４１】
カートリッジ１が未装着である場合には、図４（ａ）に示すように、すべての電気接点はオープンな状態となり、検出回路が閉じた状態にならないため電流検出部１０５には電流が流れない。
【００４２】
カートリッジ１が不完全装着状態である場合には、図４（ｂ）に示すように、電気接点６ａと電気接点１０２ａとが電気的に接続され、電気接点６ｂと電気接点１０２ｃとが電気的に接続される。抵抗Ｒ２が直列接続されるので抵抗Ｒ２に対応する電流値が電流検出部１０５で検出される。
【００４３】
一方、カートリッジ１が完全装着状態である場合には、図４（ｃ）に示すように、電気接点６ａと電気接点１０２ａとが電気的に接続され、電気接点６ｂと電気接点１０２ｂとが電気的に接続される。抵抗Ｒ１が直列接続されるので抵抗Ｒ１に対応する電流値が電流検出部１０５で検出される。なお、抵抗Ｒ１と抵抗Ｒ２の電気抵抗値は異なるので、電流検出部１０５で電流値を検出することによりカートリッジ１の装着状態を検出可能である。
【００４４】
上述のようにカートリッジ１の装着状態の検知は、電流検出部１０５に流れる電流値を検出することによって行われ、カートリッジ１の装着状態が未装着状態か不完全装着状態か完全装着状態かを判断することが可能になる。
【００４５】
なお、本実施形態において、電圧値の違いを検出するのではなく、電流値の違いを検出するようにしているのは、以下の理由による。すなわち、画像形成装置１００では、帯電手段５により感光体ドラム２が高電圧に帯電されており、装置内の多くの場所においても静電気が発生する可能性が大きい。仮に電圧値を測定する構成にした場合には、この静電気により誤動作してしまう可能性がある。静電気は、電圧は高いが、電流は微々たるものである。そこで、本実施形態では、電流を測定するようにして静電気の影響を受けにくい構成にしている。
【００４６】
（ユーザへの警告表示）
カートリッジ１が未装着状態や不完全装着状態の際には、画像形成装置１００の制御部（処理実行手段）がユーザへの警告を表示する。
【００４７】
カートリッジ１が未装着状態や不完全装着状態の際には、それぞれその旨を操作パネル２００（図１参照）に設けられた表示部に警告表示してユーザへ知らせる。
【００４８】
例えば、カートリッジ１の未装着を検知した場合は、カートリッジが存在しない旨及びカートリッジの装着を促す旨を表示する。また、カートリッジ１の不完全装着状態を検知した場合は、カートリッジが最後まで装着されていな旨及びカートリッジを強く押し込むことを促す旨を表示する。
【００４９】
このように操作パネル２００にカートリッジ１の装着状態が表示されるので、カートリッジ１が不完全装着状態だと気付かず、画像形成装置１００の故障だと判断することも回避できる。
【００５０】
なお、操作パネル２００に文章による警告表示をするのではなく、警告のための発光ダイオードなどを点灯させるようにしても良い。
【００５１】
さらに、外部のコンピュータに対して信号を送出してコンピュータのモニタ上に表示させることでもよい。
【００５２】
（他の構成例）
本実施形態の他の構成について説明する。本実施形態において不完全装着と完全装着の両方の装着状態において接続可能な電気接点１０２ａや電流検出部１０５が装置本体１００Ａ側に備えられていたが、それらの電気接点や検出部をカートリッジ１側に設けても良い。
【００５３】
そして、本実施形態においてカートリッジ１側にある電気接点６ａ、６ｂはカートリッジ１に２つの部品で設けられ、回路で接続されているが、部品点数の削減のために細長い電気接点を同一部品として設けることも可能である。そして、この電気接点がカートリッジ１側の電気接点１０２ａと電気接点１０２ｂとの間、及び電気接点１０２ａと電気接点１０２ｃとの間を接続するようにしても良い。
【００５４】
さらに、本実施形態においては、カートリッジ１の長手方向の一端に電気接点６ａ、６ｂを設け、装置本体１００Ａ側の電気接点１０２ａ、１０２ｂ、１０２ｃも装置本体１００Ａ側板の一方に設けている。しかし、これらの電気接点をカートリッジ１の長手方向の両端及び装置本体１００Ａの側板の両方に設けることによってカートリッジ１の両端の装着状態を検出することが可能になる。
【００５５】
また、本実施形態ではカートリッジ１が単一の場合の例を説明したが、カートリッジを複数設けた場合であっても同様に本発明を適用して各々のカートリッジで同様の効果を得ることができる。
【００５６】
＜第２実施形態＞
本発明に係る画像形成装置の他の実施形態について説明する。本実施形態は不完全装着状態検出後の動作が第１実施形態と異なるものである。なお第１実施形態と同一又は類似の構成部分については同一の符号を付し、重複する説明を省略する。
【００５７】
図５は本実施形態におけるカートリッジ１の不完全装着状態を検出した際の装置本体１００Ａの動作を示す画像形成装置１００をカートリッジ１の長手方向からみたカートリッジ１の装着部付近の断面図である。
【００５８】
同図における断面はカートリッジ１の長手方向に対して垂直で本体中央を通る面である。
【００５９】
図５（ａ）はカートリッジ１が装置本体１００Ａに不完全な装着となっている状態、図５（ｂ）はカートリッジ１が装置本体１００Ａに完全に装着された状態を示している。
【００６０】
図５に示す装置本体１００Ａに軸１０６ａを回動中心として回動可能に設けられたレバー１０６（移動手段）は、カートリッジ１が不完全な装着状態であることが検出されると不図示の駆動手段により矢印Ａ方向に回動する。そして、レバー１０６の当接部１０６ｂがカートリッジ１の当接部１ｃと当接してカートリッジ１を押すことで、カートリッジ１を不完全装着状態から完全装着状態へ移動させる。
【００６１】
したがって、カートリッジ１が不完全装着状態になってしまった際に、ユーザを煩わせることなくカートリッジ１を完全装着状態へ移動させることが可能になる。また、カートリッジ１が完全装着状態であることを検出すると不図示の駆動手段によりレバー１０６が図５（ａ）に示す初期位置に移動させるため、カートリッジ１を引き抜く際にはカートリッジ１の着脱をスムーズに行うことができる。
【００６２】
これにより、カートリッジ１が不完全な装着状態にある時のみにレバー１０６が動作し、カートリッジ１が未装着状態や完全装着状態におけるレバー１０６の無駄な動作は回避される。
【００６３】
なお、本実施形態のレバー１０６を第１実施形態に組み合わせることも可能である。すなわち、第１実施形態の操作パネル２００に、カートリッジが不完全装着状態であり、完全装着状態に移動したことを表示するようにしても良い。
【００６４】
＜第３実施形態＞
本発明に係る画像形成装置のさらに他の実施形態について説明する。本実施形態はカートリッジガイドや電気接点、検知システムの構成が第１実施形態と異なるものである。なお第１実施形態と同一又は類似の構成部分には同一の符号を付し、重複する説明は省略する。
【００６５】
（カートリッジの装着）
図６は本実施形態における画像形成装置１００をカートリッジ１の長手方向からみたカートリッジ１の装着部付近の断面図である。同図における断面はカートリッジ１の長手方向に対して垂直で本体中央を通る面である。
【００６６】
図６（ａ）はカートリッジ１が装置本体１００Ａに挿入する直前でカートリッジ未装着となっている状態、図６（ｂ）はカートリッジ１がカートリッジガイドの屈曲部付近で装置本体１００Ａに不完全装着となっている状態、図６（ｃ）は、カートリッジ１が完全装着位置の手前で装置本体１００Ａに不完全装着となっている状態、図６（ｄ）はカートリッジ１が装置本体１００Ａに完全に装着された状態をそれぞれ示している。
【００６７】
本実施形態では、図８で示すようにカートリッジ１のボス１ａを完全装着状態へ案内するカートリッジガイド１０３ａと、ボス１ｂを完全装着状態へ案内するカートリッジガイド１０３ｂが、途中で屈曲した構成で設けられている。
【００６８】
カートリッジ１を装置本体１００Ａへ開口部１１０から挿入すると、カートリッジ１が自重により降下し、ボス１ａが不完全装着位置１０３ａ３まで、ボス１ｂが不完全装着位置１０３ｂ３まで自然に移動するようにカートリッジガイド１０３ａ、１０３ｂが形成されている。
【００６９】
このため、図６（ｂ）の示すようにカートリッジ１が、カートリッジガイド１０３ａ、１０３ｂが屈曲している不完全装着位置１０３ａ３、１０３ｂ３で止まってしまう。このため、この位置でカートリッジ１が装置本体１００Ａに不完全装着状態となる場合がある。この状態を以下、第２の不完全装着状態と呼ぶ。
【００７０】
さらに、図６（ｃ）に示すように、第１実施形態の場合と同様にカートリッジ１は、ボス１ａが不完全装着位置１０３ａ２で、ボス１ｂが不完全装着位置１０３ｂ２で止まってしまい、カートリッジ１が第１の不完全装着状態となる場合がある。この状態を以下、第１の不完全装着状態と呼ぶ。
【００７１】
本実施形態では、カートリッジ１のボス１ａ側の近くにある電気接点６ａとボス１ｂ側の近くにある電気接点６ｂの位置が第１実施形態とは異なっており、さらに電気接点６ｃが設けられている。図６に示すように電気接点６ａはボス１ａと同軸上に配置し、電気接点６ｂはボス１ｂと同軸上に配置し、電気接点６ｃはボス１ａ側の近くに配置している。
【００７２】
本実施形態では、装置本体１００Ａの側板の一方に、カートリッジ１の装着状態によってカートリッジ１側の電気接点６ａ、６ｂ、６ｃに接続されるように配置されている電気接点１０２ｄ、１０２ｅ、１０２ｆ（装置本体側電気接点）、１０２ｇ（装置本体側電気接点）、１０２ｈが設けられている。
【００７３】
次に、カートリッジ１の装着状態におけるカートリッジ１側の電気接点と装置本体側の電気接点の接続について説明する。
【００７４】
図６（ｄ）に示す完全装着状態においては、カートリッジ１側の電気接点６ａと装置本体側の電気接点１０２ｄとが電気的に接触し、カートリッジ１側の電気接点６ｃと装置本体側の電気接点１０２ｈとが電気的に接触し、カートリッジ１側の電気接点６ｂと装置本体１００Ａ側の電気接点１０２ｅとが電気的に接触するように配置されている。
【００７５】
図６（ｃ）に示す第１の不完全装着状態においては、カートリッジ１側の電気接点６ａと装置本体１００Ａ側の電気接点１０２ｄとが電気的に接触し、カートリッジ１側の電気接点６ｃと装置本体側の電気接点１０２ｈとが電気的に接触し、カートリッジ側の電気接点６ｂと装置本体１００Ａ側の電気接点１０２ｆとが電気的に接触するように配置されている。
【００７６】
図６（ｂ）に示す第２の不完全装着状態においては、カートリッジ１側の電気接点６ａと装置本体１００Ａ側の電気接点１０２ｄとが電気的に接触し、カートリッジ１側の電気接点６ｃと装置本体１００Ａ側の電気接点１０２ｈとが電気的に接触し、カートリッジ１側の電気接点６ｂと装置本体１００Ａ側の電気接点１０２ｇとが電気的に接触するように配置されている。
【００７７】
また、カートリッジ１が装置本体１００Ａ内に挿入されてカートリッジガイド１０３ａ、１０３ｂの屈曲部を通過した後は、カートリッジ１側の電気接点６ａと装置本体１００Ａ側の電気接点１０２ｄ、カートリッジ１側の電気接点６ｃと装置本体１００Ａ側の電気接点１０２ｈが連続して電気的に接触するように配置されている。
【００７８】
このため、カートリッジ１が屈曲部を通過した後は、カートリッジ１側の電気接点６ｂが装置本体１００Ａの電気接点１０２ｇ、１０２ｆ、１０２ｅに接触することによってカートリッジ１が第１の不完全装着状態、第２の不完全装着状態、完全装着状態のどの状態にあるかを検出することができる。
【００７９】
（カートリッジ装着状態検知の回路構成）
図７は本実施形態におけるカートリッジ装着状態を検知するための回路図である。
【００８０】
図７（ａ）はカートリッジ未装着状態、図７（ｂ）はカートリッジ１の第２の不完全装着状態、図７（ｃ）はカートリッジ１の第１の不完全装着状態、図７（ｄ）はカートリッジ１の完全装着状態の場合の回路図を示している。
【００８１】
本実施形態においてカートリッジ１の装着状態検知手段の例として検知システムは、装置本体１００Ａにカートリッジ１の装着状態の検知回路を設けている。
【００８２】
検知回路は図７に示すように、装置本体１００Ａ側に電気接点１０２ｄ、１０２ｅ、１０２ｆ、１０２ｇ、１０２ｈが設けられている。電気接点１０２ｅ、１０２ｆ、１０２ｇ、１０２ｈには抵抗Ｒ１、Ｒ２、Ｒ３、Ｒ４の一端がそれぞれ接続されている。抵抗Ｒ１、Ｒ２、Ｒ３、Ｒ４の他端は直流電源１０５ａの負極に接続されている。直流電源１０５ａの正極は、電流検出部１０５の一端に入力され、電流検出部１０５の他端は、電気接点１０２ｄに接続されているとともに抵抗Ｒ５を介して接地されている。また、抵抗Ｒ１、Ｒ２、Ｒ３の抵抗値は互いに異なるように設定されている。
【００８３】
このため、カートリッジ１の完全装着状態において各々の電気接点が接続する場合と、カートリッジ１の第２の不完全装着状態において各々の電気接点が接続する場合と、カートリッジ１の第１の不完全装着状態において各々の電気接点が接続する場合で検出される電流値が異なる。
【００８４】
カートリッジ１側には電気接点６ａ、電気接点６ｂ、及び電気接点６ｃが設けられ、これらは、カートリッジ１の内部で互いに電気的に接続されている。さらに、電気接点６ａは感光体ドラム２に接続されている。すなわち、本実施形態では、カートリッジ１側の電気接点の一つに感光体ドラム２の接地用電極を用いるようにしている。
【００８５】
カートリッジ１が未装着である場合には、図７（ａ）に示すように、すべての電気接点はオープンな状態となり、検出回路が閉じた状態にならないため電流検出部１０５には電流が流れない。
【００８６】
カートリッジ１が第２の不完全装着状態である場合には、図７（ｂ）に示すように、電気接点６ａと電気接点１０２ｄとが電気的に接続され、電気接点６ｂと電気接点１０２ｇとが電気的に接続され、さらに電気接点６ｃと電気接点１０２ｈとが電気的に接続される。このため抵抗Ｒ３、Ｒ４が並列接続され、この合成抵抗に対する電流値が電流検出部１０５で検出される。また、抵抗Ｒ５を介して感光体ドラム２が接地される。
【００８７】
また、カートリッジ１が第１の不完全装着状態である場合には、図７（ｃ）に示すように、電気接点６ａと電気接点１０２ｄとが電気的に接続され、電気接点６ｂと電気接点１０２ｆとが電気的に接続され、さらに電気接点６ｃと電気接点１０２ｈとが電気的に接続される。このため抵抗Ｒ２、Ｒ４が並列接続され、この合成抵抗に対する電流値が電流検出部１０５で検出される。なお、感光体ドラム２は接地された状態を維持する。
【００８８】
一方、カートリッジ１が完全装着状態である場合には、図７（ｄ）に示すように、電気接点６ａと電気接点１０２ｄとが電気的に接続され、電気接点６ｂと電気接点１０２ｅとが電気的に接続され、電気接点６ｃと電気接点１０２ｈとが電気的に接続される。抵抗Ｒ１、Ｒ４が並列接続され、この合成抵抗に対応する電流値が電流検出部１０５で検出される。なお、感光体ドラム２は接地された状態を維持する。
【００８９】
なお、抵抗Ｒ１、Ｒ２、Ｒ３の電気抵抗値は異なるので、電流検出部１０５で電流値を検出することによりカートリッジ１の装着状態を検出可能である。
【００９０】
（ユーザへの警告表示）
カートリッジ１が未装着状態や不完全装着状態の際には、それぞれその旨を操作パネル２００に設けられた表示部に警告表示して報知する報知手段が設けられ、これによりカートリッジ１の状態をユーザへ知らせる。
【００９１】
例えば、カートリッジ１の未装着を検知した場合は、カートリッジが存在しない旨及びカートリッジの装着を促す旨を表示する。また、カートリッジ１の第２の不完全装着状態を検知した場合は、カートリッジが途中で止まっている旨及びカートリッジを水平方向へ押し込むことを促す旨を表示する。また、カートリッジ１の第１の不完全装着状態を検知した場合は、カートリッジが最後まで装着されていな旨及びカートリッジを強く押し込むことを促す旨を表示する。
【００９２】
このように操作パネル２００にカートリッジ１の装着状態を表示することにより、カートリッジ１が不完全装着状態だと気付かず、画像形成装置１００の故障だと判断することも回避できる。
【００９３】
なお、操作パネル２００に文章による警告表示をするのではなく、警告のための発光ダイオードなどを点灯させるようにしても良い。
【００９４】
さらに、外部のコンピュータに対して信号を送出してコンピュータのモニタ上に表示させることでもよい。
【００９５】
このように、本実施形態では、カートリッジガイド１０３ａ、１０３ｂが屈曲した構成であっても、カートリッジ１の装着状態や装置本体１００Ａ内の位置を段階的に検知して、ユーザへ警告することできるため、カートリッジ１の着脱の際のユーザビリティを向上させることが可能になる。
【００９６】
また本実施形態では、カートリッジ１が装置本体１００Ａ内へ挿入されていれば、カートリッジ１が装着状態を検出する電気接点同士の間の位置に止まった場合においても、常に３点以上の電気接点が接続された状態になっている。そのため、カートリッジ１が装置本体１００Ａ内に存在する状態を確実に検出することができ、ユーザへの明確な警告することが可能になる。
【００９７】
さらに本実施形態では、カートリッジ１にもとから備えられている接地接点を感光体ドラム２の接地とカートリッジ１の装着状態の検出の機能も兼ねて用いているため、装着状態の検出のみに用いられていた電気接点の部品を削減することが可能である。
【００９８】
（他の構成例）
本実施形態の他の構成について説明する。本実施形態において用いられた電気接点は、カートリッジの装着状態の検出だけでなく、感光体ドラムに接続して感光体ドラムを接地するための機能も設けていたが、他にもカートリッジに基から備えられている現像手段に接続される現像接点や、帯電手段に接続される帯電接点を用いてカートリッジの装着状態を検出しても良い。
【産業上の利用可能性】
【００９９】
本発明は、着脱可能なカートリッジを有する画像形成装置に適用可能である。
【符号の説明】
【０１００】
１‥‥カートリッジ
１ａ、１ｂ‥‥ボス
６ａ、６ｂ、６ｃ‥‥電気接点
１００‥‥画像形成装置
１００Ａ‥‥装置本体
１０２ｂ、１０２ｃ、１０２ｅ、１０２ｆ、１０２ｇ‥‥電気接点
１０３ａ、１０３ｂ‥‥カートリッジガイド
１０５‥‥電流検出部
１０６‥‥レバー
２００‥‥操作パネル
【図１】
2014106514.tif 000003
【図２】
2014106514.tif 000004
【図３】
2014106514.tif 000005
【図４】
2014106514.tif 000006
【図５】
2014106514.tif 000007
【図６】
2014106514.tif 000008
【図７】
2014106514.tif 000009